(57)【特許請求の範囲】
【請求項１】
硝子長繊維強化硬質ウレタン樹脂発泡体からなる板状体の相背向する１組の辺縁に、板状の錠止片が回動もしくは摺動可能に取着され、各辺縁の端縁には隣接する他の防臭蓋の板状体の端縁を重ね合わせることが可能なように支承片が突設されており、該隣接する他の防臭蓋の板状体の端縁を、前記支承片と前記錠止片とで挟持するようなされていることを特徴とする防臭蓋。
【請求項２】
硝子長繊維強化硬質ウレタン樹脂発泡体からなる板状体の相背向する１組の辺縁に、板状の錠止片が回動もしくは摺動可能に取着され、各辺縁の端縁には上向き段部が刻設されており、隣接する他の防臭蓋の板状体の端縁に刻設された下向き段部を前記上向き段部と錠止片の間に挟持するようなされていることを特徴とする防臭蓋。
【発明の詳細な説明】
【０００１】
【発明の属する技術分野】
本発明は、防臭蓋に関する。
【０００２】
【従来の技術】
従来、湖沼、河川等の公共用水域へ排出される、生活排水等を浄化して水質を保全することを目的とする水処理場に於いて、汚泥を沈澱分離させる平面形状略矩形状の沈澱槽等から臭気が洩出するのを防止する為に、開口部に複数個の防臭蓋を隙間なく連架して開口部全面を被覆することは公知である。
【０００３】
【発明が解決しようとする課題】
しかしながら、防臭蓋を単に連架しただけでは、防臭蓋に加重されると、隣り合う防臭蓋との間に隙間が発生するという問題があった。
【０００４】
本発明は、上記従来の問題点を解消し、加重された場合にも、隣り合う防臭蓋との間に隙間が発生しない防臭蓋を提供することを目的とする。
【０００５】
【課題を解決するための手段】
本願の請求項１に係る発明の防臭蓋は、硝子長繊維強化硬質ウレタン樹脂発泡体からなる板状体の相背向する１組の辺縁に、板状の錠止片が回動もしくは摺動可能に取着され、各辺縁の端縁には隣接する他の防臭蓋の板状体の端縁を重ね合わせることが可能なように支承片が突設されており、該隣接する他の防臭蓋の板状体の端縁を、前記支承片と前記錠止片とで挟持するようなされていることを特徴とする。
本願の請求項２に係る発明の防臭蓋は、硝子長繊維強化硬質ウレタン樹脂発泡体からなる板状体の相背向する１組の辺縁に、板状の錠止片が回動もしくは摺動可能に取着され、各辺縁の端縁には上向き段部が刻設されており、隣接する他の防臭蓋の板状体の端縁に刻設された下向き段部を前記上向き段部と錠止片の間に挟持するようなされていることを特徴とする。
【０００６】
本発明の防臭蓋に於いて、板状体の材質は、着脱が容易に行えるよう軽量なものが好ましく、強度が大きく、耐候性、耐蝕性の優れた硝子長繊維強化硬質ウレタン樹脂発泡体が用いられる。
【０００７】
板状体の裏面には、補強及び使用時の擦れ止めの機能を果たすよう、周縁を帯状に残して、一回り小さい枠状の垂壁が垂設され、略下方開口箱状となされていてもよい。
【０００８】
本願の請求項１に係る発明では、板状体の相背向する１組の端縁には、他の防臭蓋の板状体の端縁を重ね合わせることが可能なように、支承片が突設されている必要がある。支承片は、板状体と一体成形されていても、別体に成形され接着等の手段により固着されていても、何れでもよい。
【０００９】
固着された支承片の上面には、重ね合わせられた他の防臭蓋の板状体の底面と密接可能なように、合成ゴムもしくは合成樹脂発泡体、合成ゴム製帯状体からなる緩衝材が貼着される。
【００１０】
本願の請求項２に係る発明では、板状体の相背向する１組の端縁には、相隣る２枚の防臭蓋の板状体の端縁同士を重ね合わせることが可能なように、段部が刻設されている必要がある。段部は、板状体の一端縁に下向段部、他端縁に上向段部が刻設されていても、下向もしくは上向段部の何れか一方が両端縁に刻設されていても、何れでもよい。
【００１１】
刻設された上向段部の上面には、重ね合わせられた他の防臭蓋の板状体に刻設された下向段部と密接可能なように、合成ゴムもしくは合成樹脂発泡体、合成ゴム製帯状体からなる緩衝材が貼着される。
【００１２】
本発明の防臭蓋に於いて、板状体の相背向する１組の辺縁に、回動もしくは摺動可能に取着された板状の錠止片の材質は、特に限定されず、例えば、アルミニウム、ステンレススチール等の金属が挙げられる。
【００１３】
錠止片の平面形状は、特に限定されず、例えば、略短冊状、略楕円状等が挙げられる。錠止片の取着数は、１辺縁に１個に限定されるものではなく、板状体の長さに応じて複数個取着されていてもよい。。
【００１４】
【発明の実施の形態】
以下本発明の防臭蓋の実施例を図面に基いて説明する。
図１は本発明の防臭蓋の第１実施例を示す斜視図、図２は本発明の防臭蓋の第２実施例を示す斜視図である。
【００１５】
図１に示されている本発明の防臭蓋の第１実施例に於いて、１は防臭蓋であって、硝子長繊維強化硬質ウレタン樹脂発泡体からなる板状体２の裏面には周縁を帯状に残して、一回り小さい枠状の垂壁２１が垂設され、略下方開口箱状となされている。
【００１６】
板状体２の相背向する１組の辺縁には、ボルト４が板状体２に周方向に回動可能に挿通されている。ボルト４には、板状体２の上部にのみ板状の錠止片５が１個固着されている。
【００１７】
板状体２の上記辺縁の端縁には、他の防臭蓋１’を重ね合わせることが可能なように、支承片２２が突設されており、支承片２２の上面には緩衝材３が貼着されている。
【００１８】
使用時には、防臭蓋１’を防臭蓋１に連架した後、錠止片５を回動させて錠止片５の自由端を板状体２の外方に水平移動させることにより、隣接する防臭蓋１’の板状体２’の端縁が支承片２２との間に挟持される。
【００１９】
図２に示されている本発明の防臭蓋の第２実施例に於いては、板状体２の裏面に垂壁２１が垂設されておらず、板状体２の端縁に上向段部２３が刻設されており、板状体２’の端縁には下向段部２４が刻設されている。
【００２０】
板状体２の上向段部２３の上面には、弾性体３が貼着されており、ボルト４には、錠止片５が板状体２の上部にのみ１個、長手方向に摺動可能に取着されている。
【００２１】
使用時には、防臭蓋１’を防臭蓋１に連架した後、錠止片５の外端を板状体２の外方に水平移動させることにより、隣接する防臭蓋１’の板状体２’の端縁に刻設された下向段部２４が上向段部２３との間に挟持される。
【００２２】
上記した第２実施例と逆に、板状体２の端縁に下向段部、隣接する防臭蓋１’の板状体２’の端縁に上向段部が刻設されていてもよい。その場合には、錠止片５は板状体２の下部にのみ取着され、隣接する防臭蓋１’の板状体２’の端縁に刻設された上向段部が下向段部との間に挟持される。又、錠止片５は、第１実施例と同様に回動可能となされていてもよい。
【００２３】
【発明の効果】
本発明の防臭蓋は、叙上の通り構成されているので、加重された場合にも、隣り合う防臭蓋との間に隙間が発生しない。
【図面の簡単な説明】
【図１】本発明の防臭蓋の第１実施例を示す斜視図。
【図２】本発明の防臭蓋の第２実施例を示す斜視図。
【符号の説明】
１  防臭蓋
１’  （他の）防臭蓋
２    板状体
２’    （他の）板状体
３  （板状）緩衝材
４  ボルト
５  錠止片
６  （環状）緩衝材
２１  垂壁
２２  支承片
２３  上向段部
２４  下向段部
【図１】
0003626359.tif 000002
【図２】
0003626359.tif 000003